(57)【要約】【課題】棚板の下面で結露が生じることを抑える。【解決手段】実施例の冷蔵庫は、棚板に設けられ吐出口から吐出された冷気が通過する通風口と、棚板に設けられ通風口を通過した冷気の流れを通風口に進入する直前の向きに対して変える風向部材を備えたものである。【選択図】図３
2017150703.tif 000002
【特許請求の範囲】
【請求項１】
貯蔵室内に設けられ、食品が載せられる棚板と、
前記貯蔵室内に冷気を吐出する吐出口と、
前記棚板に設けられ、前記吐出口から吐出された冷気が通過する通風口と、
前記棚板に設けられ、前記通風口を通過した冷気の流れを前記通風口に進入する直前の向きに対して変える風向部材を備えた冷蔵庫。
【請求項２】
前記風向部材は、前記冷気の流れを前記棚板に沿う向きに変える請求項１に記載の冷蔵庫。
【請求項３】
前記通風口には、前記冷気が後から前に向けて下降する斜め下向きに進入し、
前記風向部材には、「後から前に向けて下降する下降傾斜部」および「当該下降傾斜部に比べて前に位置する部分であって後から前に向けて上昇する上昇傾斜部」が設けられている請求項２に記載の冷蔵庫。
【請求項４】
前記貯蔵室内には、上面が開口する食品容器が前記棚板の下に位置して設けられている請求項１から３のいずれかに記載の冷蔵庫。
【請求項５】
前記吐出口は、後から前に向けて下降する斜め下向きに冷気を吐出し、
前記貯蔵室内には、前記吐出口から吐出された冷気の流れを水平方向に向けて変える風向調整部が設けられ、
前記通風口には、前記風向調整部によって流れの向きが変えられた冷気が進入する請求項１から４のいずれかに記載の冷蔵庫。
【請求項６】
前記通風口は、前記棚板の後端部に配置され、
前記棚板には、前記通風口の前に位置して上へ突出する突出部が設けられている請求項１から５のいずれかに記載の冷蔵庫。
【発明の詳細な説明】
【技術分野】
【０００１】
実施例は冷蔵庫に関する。
【背景技術】
【０００２】
冷蔵庫には棚板を備えたものがある。この棚板は食品が載せられるものであり、貯蔵室内に収納されている。この貯蔵室の後壁には吐出口が設けられており、貯蔵室内には吐出口から冷気が吐出される。
【先行技術文献】
【特許文献】
【０００３】
【特許文献１】特願２０１６−００３５０８
【発明の概要】
【発明が解決しようとする課題】
【０００４】
上記冷蔵庫の場合には吐出口からの冷気が棚板の上面に沿って後から前へ流れる。従って、棚板の上面が下面に比べて強く冷却されるので、棚板の下面で結露が生じることがあった。
【課題を解決するための手段】
【０００５】
実施例の冷蔵庫は、貯蔵室内に設けられ食品が載せられる棚板と、前記貯蔵室内に冷気を吐出する吐出口と、前記棚板に設けられ前記吐出口から吐出された冷気が通過する通風口と、前記棚板に設けられ前記通風口を通過した冷気の流れの向きを前記通風口に進入する直前の向きに対して変える風向部材を備えたものである。
【図面の簡単な説明】
【０００６】
【図１】実施例１を示す図（冷蔵庫の内部構成を示す断面図）
【図２】蓋板を示す図
【図３】蓋板の後端部を拡大して示す図
【図４】実施例２を示す図（図２相当図）
【図５】図３相当図
【発明を実施するための形態】
【実施例１】
【０００７】
図１のキャビネット１は縦長な四角箱状をなすものであり、前面が開口している。このキャビネット１は外箱内に内箱を収納してなるものであり、外箱および内箱間には断熱材が介在されている。このキャビネット１内には仕切壁２が固定されている。この仕切壁２は断熱性を有するものであり、キャビネット１内には仕切壁２の上に位置して冷凍室３が形成されている。この冷凍室３内には上棚板４が装着されており、上棚板４には冷凍保存用の食品が載せられる。
【０００８】
キャビネット１内には、図１に示すように、仕切壁２の下に位置して冷蔵室５が形成されている。この冷蔵室５は貯蔵室に相当するものであり、冷蔵室５内には３枚の通常棚板６が装着されている。これら３枚の通常棚板６のそれぞれは透明な合成樹脂を材料とするものであり、上下方向に互いに間隔を置いて配列されている。これら３枚の通常棚板６のそれぞれは水平なものであり、３枚の通常棚板６のそれぞれには冷蔵保存用の食品が載せられる。
【０００９】
キャビネット１内には、図１に示すように、冷蔵室５内に位置して容器カバー７が装着されている。この容器カバー７は最下段の通常棚板６の下に隙間を介して配置された水平なものであり、棚板に相当する。
【００１０】
容器カバー７は、図２に示すように、透明なガラス製の窓板８および不透明な合成樹脂製の窓枠９を有している。窓板８は冷蔵保存用の食品が載せられるものであり、横長な長方形状をなしている。窓枠９は窓板８を取囲む横長な四角枠状をなすものであり、窓板８の前端面に沿う前板部と窓板８の左端面に沿う左板部と窓板８の右端面に沿う右板部と窓板８の後端面に沿う後板部を有している。
【００１１】
冷蔵室５内には、図１に示すように、野菜容器１０が収納されている。この野菜容器１０は透明な合成樹脂を材料とするものであり、容器カバー７の下に配置されている。この野菜容器１０は上面が開口するものであり、冷蔵室５内に収納された収納状態および冷蔵室５内から前へ引出された引出し状態間で操作可能にされている。この野菜容器１０は冷蔵保存用の野菜が収納されるものであり、容器カバー７は野菜容器１０の収納状態で野菜容器１０の上面を上から覆う。この野菜容器１０は食品容器に相当する。
【００１２】
キャビネット１には、図１に示すように、Ｆ扉１１およびＲ扉１２が装着されている。Ｆ扉１１は冷凍室３の前に配置されたものであり、冷凍室３の前面を気密状態に閉鎖する閉鎖状態および冷凍室３の前面を開放する開放状態間で操作可能にされている。Ｒ扉１２は冷蔵室５の前に配置されたものであり、冷蔵室５の前面を気密状態に閉鎖する閉鎖状態および冷蔵室５の前面を開放する開放状態間で操作可能にされている。
【００１３】
キャビネット１の後壁には、図１に示すように、Ｒ出口側ダクト１３およびＲ入口側ダクトが埋設されている。これらＲ出口側ダクト１３およびＲ入口側ダクトのそれぞれは冷蔵室５の後に配置されたものであり、Ｒ入口側ダクトには冷蔵室５内に位置してＲ入口が形成されている。Ｒ出口側ダクト１３は縦長な直状をなすものであり、上下方向に並ぶ３つのＲ出口１４を有している。これら３つのＲ出口１４のそれぞれは後から前に向けて下降傾斜する筒状をなすものであり、３つのＲ出口１４のうち上段の１つは上段の通常棚板６および中段の通常棚板６間に配置され、中段の１つは中段の通常棚板６および下段の通常棚板６間に配置され、下段の１つは下段の通常棚板６および容器カバー７間に配置されている。この下段のＲ出口１４は吐出口に相当する。
【００１４】
キャビネット１の後壁内には、図１に示すように、冷却室１５が形成されている。この冷却室１５は冷凍室３の後に配置されたものであり、Ｒ出口側ダクト１３およびＲ入口側ダクト間は冷却室１５を介して接続されている。これらＲ出口側ダクト１３とＲ入口側ダクトと冷却室１５は冷蔵室５内に冷気を循環させるＲダクトを構成するものである。
【００１５】
冷却室１５内には、図１に示すように、ファン装置１６が収納されており、ファン装置１６の運転状態では冷蔵室５内の空気がＲ入口からＲ入口側ダクト内に吸引される。この空気はＲ入口側ダクト内から冷却室１５内を通ってＲ出口側ダクト１３内に進入し、Ｒ出口側ダクト１３内に沿って上から下へ流れる。この空気は上段のＲ出口１４と中段のＲ出口１４と下段のＲ出口１４のそれぞれから冷蔵室５内に吐出されるものであり、３つのＲ出口１４のそれぞれは後から前に向けて下降する斜め下向きに空気を吐出する。
【００１６】
キャビネット１の後壁にはＦ入口側ダクトおよびＦ出口側ダクトが埋設されている。これらＦ入口側ダクトおよびＦ出口側ダクトのそれぞれは冷凍室３の後に配置されたものであり、Ｆ入口側ダクトには冷凍室３内に位置してＦ入口が形成され、Ｆ出口側ダクトには冷凍室３内に位置してＦ出口が形成されている。
【００１７】
Ｆ入口側ダクトおよびＦ出口側ダクト間は冷却室１５を介して接続されており、ファン装置１６の運転状態では冷凍室３内の空気がＦ入口からＦ入口側ダクト内に吸引される。この空気はＦ入口側ダクト内から冷却室１５内を通してＦ出口側ダクト内に進入し、Ｆ出口から冷凍室３内に吐出される。これらＦ入口側ダクトとＦ出口側ダクトと冷却室１５は冷凍室３内に冷気を循環させるＦダクトを構成するものである。
【００１８】
キャビネット１には、図１に示すように、機械室１７が形成されている。この機械室１７は野菜容器１０の後に配置されたものであり、後面が開口している。この機械室１７内には冷凍サイクルのコンプレッサ１８およびコンデンサが収納されており、コンデンサはコンプレッサ１８の吐出口および吸込み口間に接続されている。
【００１９】
冷却室１５内には、図１に示すように、エバポレータ１９が収納されている。このエバポレータ１９はコンプレッサ１８の吐出口および吸込み口間にコンデンサの下流側に位置して接続されたものであり、ファン装置１６およびコンプレッサ１８の運転状態では冷凍室３内からの空気および冷蔵室５内からの空気のそれぞれが冷却室１５内でエバポレータ１９に接触することに応じて冷風化され、ＦダクトのＦ出口から冷凍室３内に冷気が吐出され、Ｒダクトの３つのＲ出口１４のそれぞれから冷蔵室５内に冷気が吐出される。
【００２０】
キャビネット１には、図１に示すように、容器カバー７の後に位置して風向調整部２０が形成されている。この風向調整部２０は内箱の一部からなるものであり、下段のＲ出口１４に比べて下に配置されている。この風向調整部２０は、図３に示すように、後から前に向けて下降する斜め下向きに傾斜するものであり、風向調整部２０の斜め下向きの傾斜角度θｗは下段のＲ出口１４の斜め下向きの傾斜角度θｒ（図１参照）に比べて小さく設定されている。この風向調整部２０は下段のＲ出口１４から吐出された冷気が当たるものであり、冷気は風向調整部２０に当ることで流の向きがＲ出口１４の傾斜角度θｒに比べて水平方向へ変化する。
【００２１】
容器カバー７には、図２に示すように、複数の通風口２１が形成されている。これら複数の通風口２１は窓枠９の後板部に位置するものであり、左右方向に一列に配列されている。これら複数の通風口２１のそれぞれは上から見た場合に前後方向の幅寸法が左右方向の幅寸法に比べて大きな長方形状をなすものであり、図３に示すように、窓枠９の後板部を上下方向に貫通している。これら複数の通風口２１は風向調整部２０の前に配置されており、風向調整部２０に当った冷気の一部は複数の通風口２１内を通過し（矢印Ａ参照）、風向調整部２０に当った冷気のうち複数の通風口２１内に進入しなかった残りは容器カバー７の上面に沿って後から前へ流れる（矢印Ｂ参照）。
【００２２】
容器カバー７には、図３に示すように、窓枠９の後板部に位置して冷気ガイド２２が形成されている。この冷気ガイド２２の左右方向の幅寸法は複数の通風口２１のうち左端の１つから右端の１つに至る長さに設定されており、冷気ガイド２２は複数の通風口２１を下から覆っている。この冷気ガイド２２は風向部材に相当する。
【００２３】
冷気ガイド２２は、図３に示すように、第１の下降傾斜部２３と第２の下降傾斜部２４と上昇傾斜部２５を有している。第１の下降傾斜部２３は第１の下降傾斜部２３〜上昇傾斜部２５のうちで最も後に位置する部分であり、後から前に向けて下降傾斜する平板状をなしている。第２の下降傾斜部２４は第１の下降傾斜部２３の前に位置する部分である。この第２の下降傾斜部２４は後から前に向けて下降傾斜する平板状をなすものであり、第２の下降傾斜部２４の傾斜角度は第１の下降傾斜部２３の傾斜角度に比べて小さく設定されている。上昇傾斜部２５は第２の下降傾斜部２４の前に位置する部分であり、後から前に向けて上昇傾斜する平板状をなしている。これら第１の下降傾斜部２３および第２の下降傾斜部２４のそれぞれは下降傾斜部に相当する。
【００２４】
冷気ガイド２２は、図３に示すように、複数の通風口２１を通過した冷気が接触するものである。この冷気は冷気ガイド２２に接触することに応じて通風口２１に進入する直前に対して流れの向きを変え、流れの向きを変えた冷気の一部は容器カバー７の上面から野菜容器１０内に進入し、残りは容器カバー７の下面に沿って後から前へ水平に流れる（矢印Ｃ参照）。
【００２５】
上記実施例１によれば次の効果を奏する。
容器カバー７に通風口２１および冷気ガイド２２を設けたので、下段のＲ出口１４から冷蔵室５内に吐出された冷気の一部が通風口２１を通過して容器カバー７の上から下へ回り込み、通風口２１を通過した冷気が冷気ガイド２２に接触することに応じて通風口２１に進入する直前に対して進行方向を変える。従って、下段のＲ出口１４からの冷気の全てが容器カバー７の上面に沿って後から前へ流れる場合に比べて容器カバー７の上面の冷却強度が弱められるので、容器カバー７の下面での結露が抑えられる。
【００２６】
冷気ガイド２２が通風口２１を通過した冷気を容器カバー７の下面に沿って水平方向へ流すように構成した。従って、容器カバー７の下面が集中的に冷却されるので、容器カバー７の下面での結露が一層抑えられる。しかも、冷気ガイド２２に第１の下降傾斜部２３と第２の下降傾斜部２４と上昇傾斜部２５を設けたので、通風口２１を通過した冷気の流れが斜め下向きから水平方向へ円滑に変化する。
【００２７】
野菜容器１０の上の容器カバー７に通風口２１および冷気ガイド２２を設けたので、容器カバー７の下面が野菜容器１０内からの湿気に晒されるものの容器カバー７の下面で結露が生じることが抑えられる。
【００２８】
下段のＲ出口１４からの冷気をキャビネット１の風向調整部２０に当てることに応じて冷気の流れを水平方向に向けて変えた後に当該冷気を通風口２１に進入させた。従って、冷気ガイド２２が変える冷気の流れの角度が小さくて済むので、冷気ガイド２２からの冷気が容器カバー７の下面に沿って水平方向へ流れ易くなる。
【実施例２】
【００２９】
容器カバー７には、図４に示すように、窓枠９の後板部に位置してリブ３１が形成されている。このリブ３１は複数の通風口２１の前に配置されたものであり、図５に示すように、窓枠９の後板部から上へ突出している。このリブ３１は突出部に相当する。
【００３０】
上記実施例２によれば次の効果を奏する。
容器カバー７にリブ３１を設けたので、容器カバー７の窓板８上の食品から水分が零れた場合に当該水分が通風口２１を通して野菜容器１０内に落下することが防止され、しかも、容器カバー７の窓板８上の小さな食品が通風口２１を通して野菜容器１０内に落下することも防止される。
【００３１】
上記実施例１および２においては、上棚板４または通常棚板６に通風口２１および冷気ガイド２２を設けても良い。
以上、本発明の実施例を説明したが、この実施例は例として提示したものであり、発明の範囲を限定することは意図していない。これら新規な実施例は、その他の様々な形態で実施されることが可能であり、発明の要旨を逸脱しない範囲で、種々の省略、置き換え、変更を行うことができる。これら実施例やその変形は発明の範囲や要旨に含まれると共に特許請求の範囲に記載された発明とその均等の範囲に含まれる。
【符号の説明】
【００３２】
５は冷蔵室（貯蔵室）、７は容器カバー（棚板）、１０は野菜容器（食品容器）、１４はＲ出口（吐出口）、２０は風向調整部、２１は通風口、２２は冷気ガイド（風向部材）、２３は第１の下降傾斜部（下降傾斜部）、２４は第２の下降傾斜部（下降傾斜部）、２５は上昇傾斜部、３１はリブ（突出部）である。
【図１】
2017150703.tif 000003
【図２】
2017150703.tif 000004
【図３】
2017150703.tif 000005
【図４】
2017150703.tif 000006
【図５】
2017150703.tif 000007